(57)【特許請求の範囲】
【請求項１】
巻き取り方向の長さが窓開口部の巻き取り方向の長さよりも大きなスクリーンと、該スクリーンを互いに逆方向から巻き付ける為の一対の巻き取り軸を有するロールスクリーン装置において、上記スクリーンの巻き取り方向の少なくとも片端と巻き取り軸との間を紐を介して接合して、上記片端と上記巻き取り軸との間に間隔をあけるとともに、紐とスクリーンとの間には、内面が巻き取り軸外周面に沿う形状であり且つ外面が断面略円弧状の滑らかな曲面である連結部材を介在させることを特徴とするロールスクリーン装置。
【請求項２】
スクリーンの巻き取り方向の少なくとも片端に紐の両端を接合するとともに、巻き取り軸に幅方向に設けた紐引掛け溝に上記紐を引掛けて係止させることを特徴とする請求項１記載のロールスクリーン装置。
【請求項３】
上記連結部材に、紐を引掛けて係止する紐係止部を備えるとともに、該連結部材の紐係止部に係止された紐の両端を巻き取り軸と接合させることを特徴とする請求項１記載のロールスクリーン装置。
【請求項４】
巻き取り軸に、紐を巻き取る為の凹部である紐巻き取り部を設けてあり、且つ、該紐巻き取り部は紐を全て巻き付けた状態でも上記巻き取り軸より紐が突出することのない程度の径を有していることを特徴とする請求項１〜３のいずれか記載のロールスクリーン装置。
【請求項５】
窓開口部の幅方向両端に、連結部材の両端部と摺接して該連結部材の巻き取り方向への移動を案内するガイド部を備えることを特徴とする請求項１〜４のいずれか記載のロールスクリーン装置。
【請求項６】
連結部材の両端部に、球状の接触部を、回動自在に且つ一部が幅方向に突出するように備えることを特徴とする請求項５記載のロールスクリーン装置。
【発明の詳細な説明】
【０００１】
【発明の属する技術分野】
本発明は、窓開口部に取り付けて採光、視界、通風換気等を調整する為のロールスクリーン装置に関する。
【０００２】
【従来の技術】
従来から採光、視界、通風換気等を調整する為に窓開口部に取り付けるロールスクリーン装置が広く普及している。ロールスクリーン装置とは一般的に、巻き取りばね等を内蔵した巻き取り軸を窓上側に配置し、窓開口部の大きさと略同じサイズのスクリーンを巻き上げ若しくは下げることで、スクリーンを開閉させる装置である。しかし上記のロールスクリーン装置ではスクリーン材の遮光性に依存した単一の遮光状態しか実現できないという問題点があった。例えば部屋を調光状態、つまり程よい光を通す状態にする目的でロールスクリーン装置を使用している場合には、部屋を全遮光状態、つまり全体を暗くした状態にすることはできなかった。
【０００３】
上記問題点を解決する為に、長手方向、つまり巻き取り方向に色彩、模様、柄、透明度等が漸次的若しくは段階的に変化する長尺スクリーンを用い、上下に配置した巻き取り軸に長尺スクリーンの送り戻しをさせることで、調光、半遮光、全遮光といった所望の遮光状態を実現するロールスクリーン装置が特開平４−５３８６号公報に記載されている。上記装置は、図１４に示した概略図にあるように、窓の上下両端に配置された第一巻き取り軸１と第二巻き取り軸２の間を長尺スクリーン３が送り戻しされる仕組みである。従って、長尺スクリーン３が多様な遮光状態の部分を有したものであれば、上記送り戻しによって遮光状態を自由に変化させることができる。
【０００４】
しかし、巻き取り軸間は常にスクリーンが張られた状態にあるので、窓の開放状態を実現することはできず、通風換気及び外眺望の弊害となる。このことにより、現在までに実施するには到っていない。
【０００５】
【発明が解決しようとする課題】
本発明は上記の点に鑑みてなされたものであり、複数の遮光状態を使い分けることができ、且つ、外眺望及び通風換気が可能なロールスクリーン装置を提供することを課題とするものである。
【０００６】
【課題を解決するための手段】
上記課題を解決するために請求項１記載の本発明を、巻き取り方向の長さが窓開口部の巻き取り方向の長さよりも大きなスクリーンと、該スクリーンを互いに逆方向から巻き付ける為の一対の巻き取り軸を有するロールスクリーン装置において、上記スクリーンの巻き取り方向の少なくとも片端と巻き取り軸との間を紐を介して接合して、上記片端と上記巻き取り軸との間に間隔をあけるとともに、紐とスクリーンとの間には、内面が巻き取り軸外周面に沿う形状であり且つ外面が断面略円弧状の滑らかな曲面である連結部材を介在させることを特徴とするロールスクリーン装置とすることで、スクリーンに多様な遮光状態を設けておけば、上記スクリーンの巻き取りによって遮光状態を変更するとともに換気眺望状態を実現することも可能となる。また、巻き取り軸に巻き取られた連結部材の外形が滑らかな曲面となり、その連結部材の上に重ねて巻き取られたスクリーンにしわが出来ないことから見栄えが向上し、且つ、巻き取り速度が略一定となることから耐久性が向上する。
【０００７】
また、請求項２記載の本発明を、スクリーンの巻き取り方向の少なくとも片端に紐の両端を接合するとともに、巻き取り軸に幅方向に設けた紐引掛け溝に上記紐を引掛けて係止させることを特徴とする請求項１記載のロールスクリーン装置とすることで、スクリーンに多様な遮光状態を設けておけば、スクリーンの巻き取りによって遮光状態の変更と換気眺望状態の実現が可能となり、更に、紐の左右長さが自動調整される。
【０００８】
また、請求項３記載の本発明を、上記連結部材に、紐を引掛けて係止する紐係止部を備えるとともに、該連結部材の紐係止部に係止された紐の両端を巻き取り軸と接合させることを特徴とする請求項１記載のロールスクリーン装置とすることで、スクリーンに多様な遮光状態を設けておけば、スクリーンの巻き取りによって遮光状態の変更と換気眺望状態の実現が可能となり、更に、紐の左右長さが自動調整される。
【０００９】
また、請求項４記載の本発明を、巻き取り軸に紐を巻き取る為の凹部である紐巻き取り部を二箇所設けてあり、且つ、該紐巻き取り部は紐を全て巻き付けた状態でも上記巻き取り軸より紐が突出することのない程度の径を有していることを特徴とする請求項１〜３のいずれか記載のロールスクリーン装置とすることで、巻き取った紐は巻き取り軸において盛り上がりを生じず、従ってスクリーンに対する干渉がなくなる。
【００１０】
また、請求項５記載の発明を、窓開口部の幅方向両端に、連結部材の両端部と摺接して該連結部材の巻き取り方向への移動を案内するガイド部を備えることを特徴とする請求項１〜４のいずれか記載のロールスクリーン装置とすることで、強風時等に生じる外乱によっても連結部材が所定の位置から脱落することなく安定して動作するようになり、信頼性が向上する。
【００１１】
また、請求項６記載の発明を、連結部材の両端部に、球状の接触部を、回動自在に、且つ、一部が幅方向に突出するように備えることを特徴とする請求項５記載のロールスクリーン装置とすることで、連結部材とガイド部との摩擦を接触部が低減させることから、駆動負荷の減少により摩耗による損傷が防止されて長寿命化が図られる。
【００１２】
【発明の実施の形態】
以下、本発明を添付図面に示す実施形態に基づいて説明する。図１には本発明の実施の形態における一例であるロールスクリーン装置の概略図、図２には一例における紐４付き長尺スクリーン３の概略図を示している。窓開口部（図示せず）を覆い、遮光状態を調整する為の長尺スクリーン３は、その幅方向の長さを窓開口幅と略同じとし、且つ、その長手方向の長さを窓開口長さよりも大きな長方形状とする。上記長尺スクリーン３は長手方向に遮光性が漸次的あるいは段階的に変化する一連物のものであり、スクリーンの材質としてはフィルム、紙、布など、遮光性を変化させることが可能な材質であれば良い。また長尺スクリーン３としては、色彩、模様、柄、遮光性等の異なるスクリーンを長手方向に繋ぎ合わせて一連物としたものであっても構わない。
【００１３】
例えば窓開口部の上方に巻き取りばね等の張力機構（図示せず）を有した第一巻き取り軸１を設置し、窓開口部の下方にはモータ等の駆動機構（図示せず）を有した第二巻き取り軸２を設置する。長尺スクリーン３の片端には第一巻き取り軸１を接合し、もう片端には一対の紐４の各一端を夫々接合する。上記一対の紐４の各他端は、紐４の左右の長さが同じで、且つ、窓開口長さより十分大きな長さとなるように、第二巻き取り軸２と接合させる。第一巻き取り軸１に設けた張力機構によって長尺スクリーン３には一定のテンションが与えられており、駆動機構により第二巻き取り軸２が正転もしくは反転することで、長尺スクリーン３がテンションを有した状態で送り戻しが行なわれる。上記のようにして遮光状態を変化させるのだが、巻き取り量によっては長尺スクリーン３を完全に巻きあげ、両巻き取り軸１，２間に紐４のみが張られた、窓開口部の開放状態を実現することもできる。
【００１４】
接合方法としては、長尺スクリーン３を送り戻しする際の張力に対して十分耐え得る強度を有した方法であれば限定はしない。紐４としては、ワイヤー、テープ等、細くて巻き取り可能なものとする。また紐４を接合する長尺スクリーン３の片端には、巻き取り時に邪魔にならない程度の厚みで、且つ、十分な強度を有して幅方向に伸びた金属等の補強部材７を固定し、補強しておく。上記補強により、紐４を引張る際に生じる長尺スクリーン３の部分的変形を防止する。
【００１５】
図３は紐４と第二巻き取り軸２との接合状態を示した概略図である。一対の紐４の各一端は第二巻き取り軸２に設けた二箇所の凹部である紐巻き取り部５と接合しており、二箇所の紐巻き取り部５にて挟まれた部分はスクリーン巻き取り部６となっている。上記紐巻き取り部５に紐４を巻き取ることで長尺スクリーン３を移行させてゆく。その際に巻き取った紐４の厚みによって巻き取り部分は次第に盛り上がってゆくので、その盛り上がりにより長尺スクリーン３にしわが生じてしまう。そこで図に示すように凹部である紐巻き取り部分５を、全ての紐４を巻き取った状態でも紐４が第二巻き取り軸２より突出しない程度の径に設定すれば、巻き取った紐４が長尺スクリーン３の巻き取りに対して干渉することを防止できる。
【００１６】
図４には各遮光状態の概略図を示している。（ａ）は開放状態であり、通風換気、外眺望が可能である。（ｂ）は調光状態であり、柔らかい光を入射させて室内を程よい明るさに保つことができる。（ｃ）は全遮光状態であり、太陽光線をカットし、室内を暗い状態にすることができる。
【００１７】
上記のような各遮光状態を実現する為には長尺スクリーン３を所望の位置で停止させる必要がある。本例では回転駆動をＤＣモータ（図示せず）にて行ない、該ＤＣモータ回転時の電流波形に重畳されるリプル成分のパルス数がモータ回転数と比例の関係にあることを利用してモータ駆動量を算出することで、長尺スクリーン３を正確に移行させる。つまり、ＤＣモータ回転時の電波波形に重畳されるリプル成分のパルス数を検出し、その検出結果に基づいて長尺スクリーン３の全長を自己認識するとともに、予め設定しておいた各遮光状態の長さ比率データを利用して、各遮光状態へ移行する為の長尺スクリーン３の移動量をリプル成分のパルス数によって判断し，長尺スクリーン３を各遮光状態位置に確実に移行、停止させる。
【００１８】
以下、図に基づいて上記長尺スクリーン３の全長認識について説明する。図５は長尺スクリーン３の巻き取り状態を表す概略図であり、（ａ）は第一巻き取り軸１が長尺スクリーン３を完全に巻き上げた状態、（ｂ）は第二巻き取り軸２が長尺スクリーン３を完全に巻き上げた状態を示している。図６はＤＣモータのリプル成分のパルス数検出部ブロック概略図、図７は長尺スクリーン３における各遮光状態の位置関係を示した概略図である。
【００１９】
初期状態として図５（ａ）の状態に長尺スクリーン３をセットした後に、図５（ｂ）に示す状態に到るまでＤＣモータを駆動し、長尺スクリーン３を移行させる。その間に図６に示すようにＤＣモータの電流波形に重畳されるリプル成分のパルス数を制御装置のＣＰＵ等でカウントし、そのカウント数をＬ´としてＥ２ＰＲＯＭ等の記憶装置に記憶させる。各遮光状態の位置情報は長尺スクリーン３に対する比率データとして予めＣＰＵ内に設定しておき、それと上記の長尺スクリーン３の全長におけるカウント数Ｌ´に基づいて、所望の位置に移行する為に必要なカウント数、つまりＤＣモータの駆動量を算出し、第二巻き取り軸２を回動させることで長尺スクリーン３を別の遮光状態へ移行させる。
【００２０】
例えば図７において、全長Ｌの長尺スクリーン３が調光１状態に停止している場合に調光２状態へと移行させる為には、距離にしてＬ２分移動させれば良い。従って、ＤＣモータを調光１から調光２への方向に回転させることよって全長Ｌの長尺スクリーン３を移動させるとともにリプル数をカウントし、該カウント数がＬ´×Ｌ２／Ｌに達したらＤＣモータ回転を停止させる。これにより調光２への移行が図られる。
【００２１】
同様に、例えば図７において遮光２状態から調光２状態まで移行させるには、ＤＣモータを上記とは逆方向に回転させ、カウント数がＬ´×（Ｌ４＋Ｌ３）／Ｌに達した時点で停止させれば良い。
【００２２】
長尺スクリーン３としては、長期使用時における伸縮の影響を考慮して各遮光状態長さを窓開口長さより十分に長く設定しておけば、多少のずれが生じても所望の遮光状態に停止できる。
【００２３】
次に、本発明の実施の形態における他の例について説明するが、一例と同様の構成については省略する。図８は他の例であるロールスクリーン装置の概略図を示しており、図９は同上の紐４付き長尺スクリーン３の概略図、図１０は同上の第二巻き取り軸２の概略図を夫々示している。
【００２４】
図９に示すように長尺スクリーン３の長手方向の片端には、一本の紐４の両端を幅方向両端に接合してある。略Ｕ字状を成す上記紐４の全長を、窓開口長さ×２＋窓開口幅より大きくすることで、長尺スクリーン３を完全に巻き上げた場合に開放状態を実現することができる。
【００２５】
図１０に示すように第二巻き取り軸２には幅方向に紐引掛け溝８を設けており、図８に示すように略Ｕ字状の紐４を上記紐引掛け溝８に引掛けることで第二巻き取り軸２に係止させる。第一巻き取り軸１に内蔵した張力機構により紐４には左右均等な張力が生じる為、紐４の長さが左右で異なっている場合には引掛け溝８の部分で紐４がスライドすることによって、自動的に左右の長さが同じになるように調整される。
【００２６】
次に、本発明の実施の形態における更に他の例について説明するが、一例と同様の構成については省略する。図１１は更に他の例であるロールスクリーン装置の概略図を示しており、図１２は同上の紐４付き長尺スクリーン３の概略図を示している。
【００２７】
図１１、図１２に示すように、長尺スクリーン３の第二巻き取り軸２側端部に設けた補強部材７を、幅方向に伸びた中空の金属部材とし、該補強部材７の中空部に一本の紐４を貫通させることで、補強部材７に紐挿通の連結部材７ａとしての役割も持たせている。上記紐４は、その両端を夫々第二巻き取り軸２の紐巻き取り部５と接合させて略Ｕ字状とする。この時、他の例と同様に紐４の全長が、窓開口長さ×２＋窓開口幅より大きければ、長尺スクリーン３を第一巻き取り軸１にて完全に巻き上げた場合には開放状態となる。また紐４の左右の長さが異なる場合には、補強部材７の中空部にて紐４がスライドすることで、左右の長さが同じになるよう自動的に長さ調整される。
【００２８】
本発明の一例、他の例、更に他の例においては、ロールスクリーン装置に外眺望及び通風換気を与える方法として紐４を接合しているが、図１３に示す別の例のように、長尺スクリーン３の一部に防虫用の網９を接合したものであっても構わない。
【００２９】
次に、本発明の実施の形態における更に別の例について説明するが、一例と同様の構成については省略する。図１５（ａ）、（ｂ）は更に別の例であるロールスクリーン装置の巻き取り状態の説明図であり、図１６は図１５（ａ）における連結部材７ａの拡大図である。
【００３０】
図１５（ａ）に示すように、長尺スクリーン３の第二巻き取り軸２側端部には板材１０を接着させており、この板材１０を長尺スクリーン３と略平行な状態で係止する長尺スクリーン係止部１１と、第二巻き取り軸２と両端を接合した一本の紐４を引掛けて係止する紐係止部１２とを備えた連結部材７ａを介して、紐４と長尺スクリーン３を連結させている。上記連結部材７ａは、補強材７としての役割も果たすものであり、長尺サイズにおいても充分な剛性を有する材料として例えばアルミニウム、ステンレス、鉄、樹脂等により形成されている。
【００３１】
但し、第二巻き取り軸２の形状や、第二巻き取り軸２及び連結部材７ａと紐４の接合方法については、既述した一例、他例、更に他例、別の例のいずれと同様のものとしても良い。
【００３２】
連結部材７ａの形状としては、内面１３を第二巻き取り軸２の円柱状の外周面に沿うよう形成するとともに、外面１４を幅方向に長尺である断面略円弧状の滑らかな曲面とする。また、連結部材７ａには中空部を形成して、長尺スクリーン３側の中空部を前記した長尺スクリーン係止部１１とし、紐４側の中空部を前記した紐係止部１２としている。このような中空で円弧状の形状とすることにより、連結部材７ａは長尺サイズにおいても充分な剛性を有することとなり、加えて、長尺スクリーン３と連結させる際にも板材１０を長尺スクリーン３と略平行な状態で側方から長尺スクリーン係止部１１内にスライドさせるだけで良く、作業が簡単である。
【００３３】
上記長尺スクリーン係止部１１と紐係止部１２は、図１６に示すように、夫々に生じる引張り力Ｆ１と引張り力Ｆ２が略同一直線上となるように形成している。これにより、連結部材７ａが第一巻き取り軸１内の張力機構により引張られて不安定に回転し、巻き取り時にロールスクリーン装置を支持するフレーム１５や第二巻き取り軸２等に引っ掛かってしまうことが防止される。また、長尺スクリーン係止部１１と連通して内面１３側に設けた開口部近傍の形状は、長尺スクリーン３を保護する為に滑らかな曲面としている。
【００３４】
第二巻き取り軸２の回動により長尺スクリーン３が巻き取られる際には、図１５（ｂ）に示すように、連結部材７ａが内面１３にて第二巻き取り軸２の外周面と当接するとともに、該連結部材７ａの外面１４に沿って長尺スクリーン３が巻き取られていくので、長尺スクリーン３と第二巻き取り軸２の間に連結部材７ａが介在した状態であっても長尺スクリーン３は滑らかな外周形状を成すこととなる。
【００３５】
ところで、更に別の例においては、上記したように連結部材７ａを断面略円弧状の中空に形成してその中空部に板材１０を長尺スクリーン３と略水平に係止しているが、例えば図１９に示すような、断面略円形状の中空に形成して板材１０を長尺スクリーン３と略垂直に係止した従来の連結部材７ａを用いた場合には、図２０に示すように、第二巻き取り軸２と連結部材７ａが一体となり長尺スクリーン３を断面略カム形状に巻き取ってゆくことになる。この場合、巻き取り速度が不安定化して巻き取りしわが生じ易くなることと、長尺スクリーン３と連結部材７ａの接触面積が小さい為に特に天窓に設置した場合に連結部材７ａの熱により長尺スクリーン３が熱変化し易くなること等が問題となるが、更に別の例においては連結部材７ａを第二巻き取り軸２の外形とフィットする滑らかな薄型に形成したことで上記問題の解消を図ることができる。
【００３６】
次に、本発明の実施の形態におけるまた更に別の例について説明するが、更に別の例と同様の構成については省略する。図１７はまた更に別の例の連結部材ガイド機構を示す説明図であり、図１８は同上の連結部材７ａに備えた保護キャップ１７の概略図である。
【００３７】
図１７に示すように、窓開口部に備え付けてロールスクリーン装置を支持するフレーム１５には、窓開口部の幅方向両端に位置するように一対のガイド部１６を一体に若しくは別部材にて設けている。ガイド部１６は、ロールスクリーン装置の第一巻き取り軸１側から第二巻き取り軸２側まで連続して形成されるとともに、連結部材７ａの両端部と摺接して該連結部材７ａの巻き取り方向への移動を案内するものであり、図１７における左右方向の移動を規制する第一ガイド部１６ａと、第一ガイド部１６ａの端部から幅方向に延設されて図１７における上下方向の移動を規制する第二ガイド部１６ｂとから構成されている。
【００３８】
連結部材７ａの幅方向両端部には、ガイド部１６との接触摩擦を軽減させる為の保護キャップ１７を夫々嵌め込んでいる。保護キャップ１７は摩擦軽減可能な樹脂により成形されたものであり、第一ガイド部１６ａと対向する側面には、球状の接触部１８を回動自在に、且つ、一部が幅方向に突出するように備えている。また、上記連結部材７ａとガイド部１６との間には、図１７における左右方向及び上下方向において夫々所定のクリアランスを設けている。
【００３９】
上記構成により、風を受けた際の長尺スクリーン３の浮き上がりや、紐４の張力の違いにより生じる連結部材７ａの横ずれや、外乱による連結部材７ａの窓開口部からの脱落等が防止される。
【００４０】
図１８には、フレーム１５との接触時に連結部材７ａが傾くことのないように複数の接触部１８を設けた場合の保護キャップ１７を示している。このようにして連結部材７ａの端部にて摩擦軽減を図る他に、保護キャップ１７を連結部材７ａの外面１４と沿うように形成して、連結部材７ａとフレーム１５との摩擦低減を図るものであっても良い。
【００４１】
【発明の効果】
上記のように本発明の請求項１、２及び３記載の発明にあっては、スクリーンに多様な遮光状態を設けておけば、該スクリーンの巻き取りによって遮光状態を変更するとともに換気眺望状態を実現することが可能となる。従って部屋を暗くした状態や程良い柔らかな光を採り入れた状態、更に換気眺望状態を使い分けることができるので、使い勝手が大幅に向上する。加えて、上記のような全遮光〜調光〜換気までの状態を連続的に、且つ、開閉のみの簡単操作で調節することができる。そして、巻き取り軸に巻き取られた連結部材の外形が滑らかな曲面となり、その連結部材の上に重ねて巻き取られたスクリーンにしわが出来ないことから見栄えが向上し、且つ、巻き取り速度が略一定となることから耐久性が向上する。
【００４２】
また、請求項２及び３記載の発明にあっては、紐の左右長さが自動調整されるので、組立作業時に微妙な調整をする必要が無く、作業が簡易化される。加えて、使用中に紐の伸び等が生じてもわざわざ調整する必要もなくなる。
【００４３】
また、請求項４記載の発明にあっては、巻き取った紐の第二巻き取り軸からの盛り上がりがスクリーンに干渉する事がないので、スクリーンにしわが生じることがなくなる。
【００４４】
また、請求項５記載の発明にあっては、強風時等に生じる外乱によっても連結部材が所定の位置から脱落することなく安定して動作するので、信頼性が向上する。
【００４５】
また、請求項６記載の発明にあっては、連結部材とガイド部との摩擦を接触部が低減させることから、駆動負荷の減少により摩耗による損傷が防止されて長寿命化が図られる。
【図面の簡単な説明】
【図１】本発明の実施の形態における一例の概略図である。
【図２】一例における紐付き長尺スクリーンの概略図である。
【図３】一例における紐と第二巻き取り軸との接合状態を示した概略図である。
【図４】一例における各遮光状態の概略図を示しており、（ａ）は開放状態、（ｂ）は調光状態、（ｃ）は全遮光状態である。
【図５】一例における長尺スクリーンの巻き取り状態を示す概略図であり、（ａ）は第一巻き取り軸が長尺スクリーンを完全に巻き上げた状態、（ｂ）は第二巻き取り軸が長尺スクリーンを完全に巻き上げた状態を示している。
【図６】一例のＤＣモータにおける、リプル成分のパルス数検出部ブロック概略図である。
【図７】一例における長尺スクリーンでの各遮光状態の位置関係を示した概略図である。
【図８】本発明の実施の形態における他の例の概略図である。
【図９】他の例における紐付き長尺スクリーンの概略図である。
【図１０】他の例における第二巻き取り軸の概略図である。
【図１１】本発明の実施の形態における更に他の例の概略図である。
【図１２】更に他の例における紐付き長尺スクリーンの概略図である。
【図１３】本発明の実施の形態における別の例の概略図である。
【図１４】特開平４−５３８６号公報記載の発明における実施形態の一例を示す概略図である。
【図１５】本発明の実施の形態における更に別の例の長尺スクリーン巻き取り状態の説明図であり、（ａ）は連結部材を巻き取る前の状態、（ｂ）は連結部材を巻き取った状態を示している。
【図１６】図１５（ａ）における連結部材の拡大図である。
【図１７】本発明の実施の形態におけるまた更に別の例の連結部材ガイド機構を示す説明図である。
【図１８】また更に別の例における連結部材に備えた保護キャップの概略図である。
【図１９】従来の連結部材を示す説明図である。
【図２０】従来の連結部材を用いて長尺スクリーンを巻き取った状態を示す説明図である。
【符号の説明】
１  第一巻き取り軸
２  第二巻き取り軸
３  長尺スクリーン
４  紐
５  紐巻き取り部
６  スクリーン巻き取り部
７  補強部材
８  紐引掛け溝
９  網
１３  内面
１４  外面
１６  ガイド部
１７  保護キャップ
１８  接触部
【図１】
0003599004.tif 000002
【図２】
0003599004.tif 000003
【図３】
0003599004.tif 000004
【図４】
0003599004.tif 000005
【図５】
0003599004.tif 000006
【図６】
0003599004.tif 000007
【図７】
0003599004.tif 000008
【図８】
0003599004.tif 000009
【図９】
0003599004.tif 000010
【図１０】
0003599004.tif 000011
【図１１】
0003599004.tif 000012
【図１２】
0003599004.tif 000013
【図１３】
0003599004.tif 000014
【図１４】
0003599004.tif 000015
【図１５】
0003599004.tif 000016
【図１６】
0003599004.tif 000017
【図１７】
0003599004.tif 000018
【図１８】
0003599004.tif 000019
【図１９】
0003599004.tif 000020
【図２０】
0003599004.tif 000021